(57)【要約】【課題】ＬＥＤモジュールを複数組み合わせることにより、ＬＥＤによる発光面の形状を自在に形成することができるとともに、ＬＥＤのピッチを略同一にして光を均一化することができるＬＥＤモジュール及び該ＬＥＤモジュールを用いた照明装置を提供する。【解決手段】複数のＬＥＤ５，５…をＬＥＤ基板４，４…に装着してなるＬＥＤモジュール６，６…において、ＬＥＤ５，５…を略同一のピッチＰにて配することにより、一様な発光面を容易に形成することができる。ＬＥＤ５，５…を同一のピッチＰにて装着してなる同一形状のＬＥＤモジュール６，６…を、全ＬＥＤモジュール６，６…に亘ってＬＥＤ５，５…のピッチＰが同一になるように、所定の間隔を隔てて配置することにより、一様な発光面を容易に形成することができ、均一な光を得ることができる。【選択図】図４
2009016093.tif 000002
【特許請求の範囲】
【請求項１】
複数のＬＥＤと、該複数のＬＥＤを装着した基板とからなるＬＥＤモジュールにおいて、
前記ＬＥＤが略同一のピッチにて、前記基板に配してあることを特徴とするＬＥＤモジュール。
【請求項２】
前記基板は、多角形状を有し、複数組み合わせたときに、略連続する面を形作ることができるように形成してあることを特徴とする請求項１に記載のＬＥＤモジュール。
【請求項３】
前記基板は、矩形状を有し、長辺の長さが短辺の長さの略２倍であることを特徴とする請求項２に記載のＬＥＤモジュール。
【請求項４】
前記基板は、該基板の周縁と該周縁に近接する前記ＬＥＤとの距離が前記ピッチの半分以下になるように形成してあることを特徴とする請求項１から３の何れか１項に記載のＬＥＤモジュール。
【請求項５】
複数のＬＥＤを基板に装着してなるＬＥＤモジュールを備える照明装置において、
前記ＬＥＤモジュールは、請求項１から４の何れか１項に記載のＬＥＤモジュールであることを特徴とする照明装置。
【発明の詳細な説明】
【技術分野】
【０００１】
本発明は、発光ダイオード（以下、ＬＥＤという）を基板に装着してなり、ＬＥＤによる発光面の形状を自在に形作ることができるＬＥＤモジュール及び該ＬＥＤモジュールを備える照明装置に関する。
【背景技術】
【０００２】
従来、室内又は屋外の照明用の光源として、白熱電球及び蛍光灯が主として用いられている。近年、これらの光源に代えて、ＬＥＤを光源とした照明装置が用いられている。ＬＥＤを用いた照明装置は、白熱電球及び蛍光灯に比較して、低消費電力かつ長寿命であるという特徴を有しており、今後、広く普及する可能性がある。
【０００３】
また、ＬＥＤは小型な点光源であるため、ＬＥＤによる発光面の形状を自在に形作ることが可能である。そこで、複数のＬＥＤを基板に装着してなる同一形状のＬＥＤモジュールを組み合わせることにより、ＬＥＤによる発光面の形状を自在に形成することができる照明装置が提案されている（例えば、特許文献１参照）。
【０００４】
特許文献１に開示された照明装置は、広告、装飾等のサインを表示する装置として使用される照明装置である。この照明装置は、整流回路、定電流回路、ＬＥＤ発光部等からなる基準ブロックとＬＥＤ発光部からなる結合ブロックとを備えてなるＬＥＤ表示ユニットを複数結合して所定形状の発光面を形成することができるように構成されている。この構成により、多様なデザインに対応することができ、用途に応じた照明装置を簡便に製作することが可能となる。
【特許文献１】特開２００５−１８３７２１号公報
【発明の開示】
【発明が解決しようとする課題】
【０００５】
ところで、ＬＥＤにおいては、白熱電球及び蛍光灯とは異なり、発光に指向性があること、また小さいＬＥＤから高輝度の光が発せられることによりグレアが問題となっている。さらに、ＬＥＤには、光量及び／又は光色のばらつきがあり、複数のＬＥＤを用いる場合には、不均一な光が生じる虞がある。そこでＬＥＤを光源とする照明装置は、一般に、ＬＥＤの発光面を覆うように取付けられた拡散板を備えており、ＬＥＤからの光が拡散板により散乱されつつ、透過して外部に出射するように構成してある。
【０００６】
このように拡散板を用いることによりグレアは緩和されるが、ＬＥＤのピッチＰとＬＥＤ及び拡散板間の距離Ｌとの関係によっては、個々のＬＥＤからの光が区別されて点光源として認識され、使用者に違和感又は不快感を与えるという虞があった。複数のＬＥＤからの光を重ね合わせて一つの面光源にするためには、所定の条件（Ｌ≧Ｐ）を満足するように照明装置を構成する必要があり、この条件から求められるＬＥＤ及び拡散板間の距離Ｌの最小値は、隣り合うＬＥＤ間の距離の最大値により決定される。このため、複数のＬＥＤを同一のピッチＰにて配したＬＥＤモジュールを用いることにより、薄型化及び出射光の均一化等を考慮した照明装置の最適設計を行うことが容易となる。
【０００７】
本発明は斯かる事情に鑑みてなされたものであり、ＬＥＤを基板に装着してなるＬＥＤモジュールを複数組み合わせることにより、ＬＥＤによる発光面の形状を自在に形成することができるとともに、ＬＥＤのピッチを略同一にして光を均一化することができるＬＥＤモジュール及び該ＬＥＤモジュールを用いた照明装置を提供することを目的とする。
【課題を解決するための手段】
【０００８】
本発明に係るＬＥＤモジュールは、複数のＬＥＤと、複数のＬＥＤを装着した基板とからなるＬＥＤモジュールにおいて、ＬＥＤが略同一のピッチにて基板に配してあることを特徴とする。
【０００９】
本発明にあっては、点光源であるＬＥＤを略同一のピッチにて基板に配してＬＥＤモジュールを構成しており、このＬＥＤモジュールを照明装置に取付けて、ＬＥＤと拡散板との距離を適切に設定することにより、複数のＬＥＤからの光を重ね合わせて一つの面光源にすることができ、均一な光を発する発光面を形成することが可能となる。
【００１０】
本発明に係るＬＥＤモジュールは、さらに、基板は、多角形状を有し、複数組み合わせたときに、略連続する面を形作ることができるように形成してあることを特徴とする。
【００１１】
本発明にあっては、多角形状を有し、複数組み合わせたときに略連続する面を形作ることができるように基板を形成しており、照明装置の用途に応じて複数のＬＥＤモジュールを組み合わせることにより、ＬＥＤによる発光面の形状を自在に形作ることができ、多様なデザインに対応することが可能となる。また、同一形状のＬＥＤモジュールを複数組み合わせることにより、ＬＥＤモジュールの製造を効率化することができ、コストを低減することが可能となる。
【００１２】
本発明に係るＬＥＤモジュールは、さらに、基板は、矩形状を有し、長辺の長さが短辺の長さの略２倍であることを特徴とする。
【００１３】
本発明にあっては、長辺と短辺の長さの比が略２対１になるように基板を形成しており、ＬＥＤモジュールを複数組み合わせて、例えば、正方形状又は細長い矩形状を有する発光面を容易に形成することが可能となる。
【００１４】
本発明に係るＬＥＤモジュールは、さらに、基板は、基板の周縁と周縁に近接するＬＥＤとの距離が前記ピッチの半分以下になるように形成してあることを特徴とする。
【００１５】
本発明にあっては、基板の周縁と周縁に近接するＬＥＤとの距離が前記ピッチの半分以下になるように基板を形成しており、照明装置の用途に応じて複数のＬＥＤモジュールを組み合わせるときに、複数のＬＥＤモジュールに亘ってＬＥＤのピッチが略同一になるように、ＬＥＤモジュールを照明装置に適切に取付け、ＬＥＤと拡散板との距離を適切に設定することにより、複数のＬＥＤからの光を重ね合わせて一つの面光源にすることができ、均一な光を発する発光面を形成することが可能となる。
【００１６】
本発明に係る照明装置は、複数のＬＥＤを基板に装着してなるＬＥＤモジュールを備える照明装置において、ＬＥＤモジュールは、上述した発明の何れかに記載のＬＥＤモジュールであることを特徴とする。
【００１７】
本発明にあっては、ＬＥＤのピッチを略同一にした複数のＬＥＤモジュールを適切に組み合わせて照明装置を構成することにより、ＬＥＤによる発光面の形状を自在に形成することが可能となるとともに、複数のＬＥＤからの光を混合して一つの面光源にすることができ、均一な光を発する発光面を形成することが可能となる。
【発明の効果】
【００１８】
本発明によれば、ＬＥＤのピッチを略同一にした複数のＬＥＤモジュールを組み合わせているから、ＬＥＤによる発光面の形状を自在に形成することができるとともに、均一な光を得ることができる。
【発明を実施するための最良の形態】
【００１９】
以下、本発明をその実施の形態を示す図面に基づいて詳述する。
（実施の形態１）
図１は、本発明の実施の形態１に係る照明装置を示す斜視図であり、図２は、実施の形態１に係る照明装置の分解斜視図である。
【００２０】
図において１は、樹脂製または金属製の外形フレームであり、外形フレーム１は、矩形窓を有する矩形枠部１ａと、該矩形枠部１ａの端縁から略直交して一方向に延びる矩形状の４側壁１ｂ，１ｂ…とを備えている。
【００２１】
この外形フレーム１には、金属製のフレーム２が内嵌してあり、外形フレーム１及びフレーム２により照明装置の筺体を構成している。
【００２２】
フレーム２は、図２に示すように、矩形状の底板２ａと、該底板２ａの端縁から略直交して延びる矩形状の複数の立ち上がり部２ｂ，２ｂ…とを備えている。底板２ａには、立ち上がり部２ｂ，２ｂ…と同方向（ＬＥＤ基板が取付けられる側の方向）に突出する矩形状の突出面２ｃ，２ｃ…が底板２ａの２辺に平行をなして形成してある。突出面２ｃ，２ｃ…は、例えばプレス加工等により、同一の肉厚にて出っ張らせるように形成されており、底面と平行をなす平面である。また、突出面２ｃ，２ｃ…には、ねじ穴２ｄ，２ｄ…が夫々設けてある。
【００２３】
フレーム２の突出面２ｃ，２ｃ…には、アルミニウム製の放熱板３を当接して取付けてあり、放熱板３は、これら突出面２ｃ，２ｃ…にて、フレーム２に安定して支持してある。
【００２４】
放熱板３は、図２に示すように、フレーム２の底板２ａより若干小さい矩形状の底板３ａと、該底板３ａの端縁から略直交して延びる矩形状の複数の立ち上がり部３ｂ，３ｂ…とを備えている。放熱板３の底板３ａには、フレーム２の突出面２ｃ，２ｃ…に設けられたねじ穴２ｄ，２ｄ…に対応する位置に貫通孔３ｃ，３ｃ…が夫々設けてある。
【００２５】
放熱板３には、図１に示すように、矩形状のＬＥＤ基板４，４…にＬＥＤ５，５…が実装されてなる複数（図において８つ）のＬＥＤモジュール６，６…が取付けてある。ＬＥＤモジュール６，６…は、長手方向が放熱板３の２辺と平行をなすように該放熱板３の略全面に亘って配してある。
【００２６】
図３はＬＥＤモジュール６の概略図であり、図３（ａ）はＬＥＤモジュール６をＬＥＤ５，５…が実装された側から見た概略図であり、図３（ｂ）はＬＥＤモジュール６を非実装の側から見た概略図である。
【００２７】
ＬＥＤ基板４は、ガラス繊維を含有するエポキシ樹脂製の平板であり、長辺の長さが短辺の長さの略２倍になるように形成されており、例えば、長辺の長さを１４２ｍｍに、短辺の長さを７０ｍｍになるように形成してある。このＬＥＤ基板４には、図３に示すように、複数個（図において１２個）直列に接続されたＬＥＤ５，５…が複数列（図において６個）並列に配して実装してある。これらＬＥＤ５，５…は、図３に示すように、隣接するＬＥＤ５，５…の距離が同一のピッチＰ、例えば、１２ｍｍになるように、ＬＥＤ基板４に配してある。図中に矩形にて示しているＬＥＤ５，５…は、ＬＥＤ素子と、外気から遮断すべく、該ＬＥＤ素子を封止する封止樹脂と、入力及び出力電極とを備えてなる表面実装型ＬＥＤである。
【００２８】
ＬＥＤ基板４には、図３に示すように、４隅に貫通孔４ａ，４ａ…が夫々設けてある。また、ＬＥＤ基板４の非実装側の面には、図３（ｂ）に示すように、コネクタ４０，４０が取付けてある。コネクタ４０，４０には、リード線（図示せず）が接続され、該リード線により電源回路部品に接続してある。
【００２９】
図４はＬＥＤ５，５…が実装された側から見たＬＥＤモジュール６，６…の配置図である。図に示すように、８枚のＬＥＤモジュール６，６…は、ＬＥＤモジュール６，６…の長辺の側に４枚並設された列を２列並設してある。これらＬＥＤモジュール６，６…は、所定の間隔、例えば、２ｍｍの間隔を隔てて配置してある。これにより、ＬＥＤ５，５…は、８枚全部のＬＥＤモジュール６，６…に亘って、同一のピッチＰにて配置されることになる。
【００３０】
このようなＬＥＤモジュール６，６…は、ＬＥＤ基板４，４…の４隅に夫々設けられた貫通孔４ａ，４ａ…及び放熱板３に設けられた貫通孔３ｃ，３ｃ…に、ねじ４１，４１…を挿通させて、ねじ４１，４１…をフレーム２の突出面２ｃ，２ｃ…に設けられたねじ穴２ｄ，２ｄ…に螺合させることにより、放熱板３を介してフレーム２に取付けてある。なお、ＬＥＤ基板４，４…と放熱板３との間には、熱伝導シート又はグリースを介装する方が望ましい。
【００３１】
ＬＥＤモジュール６，６…を覆うように、図１及び図２に示す如く、略正方形状を有する拡散板７が外形フレーム１の内面に取付けてある。図５は、図１の V−V 線による部分断面図である。図５に示すＬＥＤ５，５…の上面と拡散板７との距離Ｌは、Ｌ≧Ｐを満足するように適切に設定してある。これにより、ＬＥＤ５，５…の発する光は、互いに重なり合い、一様な発光面を形成することになる。拡散板７は、拡散剤が添加された乳白色の樹脂である。拡散板７の樹脂中に添加された拡散剤により、屈折率の不連続変化箇所が樹脂中に存在することになり、この屈折率の不連続変化箇所にてＬＥＤ５，５…からの光が散乱されるから、ＬＥＤ５，５…からの光が和らげられることになる。
【００３２】
なお、図示していないが、照明装置の近傍には、電源回路部品が取付けてある。電源回路部品は、交流電流を直流電流に整流する全波整流部とＬＥＤ５，５…の順電流を一定にする定電流部とを備えている。
【００３３】
以上のように構成された照明装置は、例えば、円環状の蛍光灯（例えば、サークライン（登録商標）型蛍光灯）の代替として、拡散板７の側が下になるように天井に取付けられ、電源回路部品を介して商用電源に接続される。電源の投入に伴い電源回路にて整流された直流電流が、ＬＥＤ５，５…に供給され、ＬＥＤ５，５…が点灯する。
【００３４】
以上のように、点光源であるＬＥＤ５，５…を同一のピッチにてＬＥＤ基板４，４…に配してＬＥＤモジュール６，６…を構成しているから、ＬＥＤ５，５…の上面と拡散板７との距離ＬをＬ≧Ｐを満足するように適切に設定することにより、ＬＥＤ５，５…の発する光を互いに重ね合わせ、一様な発光面を容易に形成することができる。
【００３５】
また、ＬＥＤモジュール６，６…のＬＥＤ基板４，４…の形状を長辺と短辺の長さの比が略２対１になる矩形状に形成しているから、同一形状のＬＥＤモジュール６，６…を複数組み合わせてＬＥＤ５，５…により形成される発光面の形状を自在に形作ることができ、照明装置の用途に応じて、多様なデザインに対応することができる。特に、オフィス等にて多用されている正方形状又は細長い矩形状を有する発光面を容易に形成することができる。また、同一形状のＬＥＤモジュール６，６…のみを用いているから、ＬＥＤモジュール６，６…の製造を効率化することができ、コストを低減することができる。
【００３６】
また、ＬＥＤ５，５…を同一のピッチＰにて装着してなる同一形状のＬＥＤモジュール６，６…を、全ＬＥＤモジュール６，６…に亘ってＬＥＤ５，５…のピッチＰが同一になるように、所定の間隔を隔てて配置しているから、ＬＥＤ５，５…の上面と拡散板７との距離ＬをＬ≧Ｐを満足するように適切に設定することにより、ＬＥＤ５，５…の発する光を互いに重ね合わせ、一様な発光面を容易に形成することができ、均一な光を得ることができる。さらに、薄型化及び出射光の均一化等を考慮した照明装置の最適設計を行うことが容易となる。
【００３７】
（実施の形態２）
図６は、本発明の実施の形態２に係る照明装置の分解斜視図である。
【００３８】
図において１１は、樹脂製または金属製の外形フレームであり、外形フレーム１１は、矩形窓を有する矩形枠部１１ａと、該矩形枠部１１ａの端縁から略直交して一方向に延びる矩形状の４側壁１１ｂ，１１ｂ…とを備えている。
【００３９】
この外形フレーム１１には、金属製のフレーム２が内嵌してあり、外形フレーム１１及びフレーム２により照明装置の筺体を構成している。フレーム２の突出面２ｃ，２ｃ…及び放熱板３の底板３ａには、図５に示すように、ねじ穴１２ｄ，１２ｄ…及び貫通孔１３ｃ，１３ｃ…が夫々設けてある。
【００４０】
放熱板３には、図６に示すように、矩形状の複数（図において６つ）のＬＥＤモジュール６，６…が取付けてある。図に示すように、６枚のＬＥＤモジュール６，６…は、放熱板３の４辺に沿うように配してある。ＬＥＤ基板４，４…，ＬＥＤ５，５…及びＬＥＤモジュール６，６…については、実施の形態１と同様であるので、詳細な説明は省略する。これらＬＥＤモジュール６，６…は、実施の形態１にて述べた如く、互いに所定の間隔を隔てて配置してある。これにより、ＬＥＤ５，５…は、６枚全部のＬＥＤモジュール６，６…に亘って、同一のピッチＰにて配置されることになる。
【００４１】
このようなＬＥＤモジュール６，６…は、ＬＥＤ基板４，４…の４隅に夫々設けられた貫通孔４ａ，４ａ…及び放熱板３に設けられた貫通孔１３ｃ，１３ｃ…に、ねじ４１，４１…を挿通させて、ねじ４１，４１…をフレーム２の突出面２ｃ，２ｃ…に設けられたねじ穴１２ｄ，１２ｄ…に螺合させることにより、放熱板３を介してフレーム２に取付けてある。
【００４２】
照明装置の内部には、電源回路部品８が取付けてある。電源回路部品８は、交流電流を直流電流に整流する全波整流部とＬＥＤ５，５…の順電流を一定にする定電流部とを備えている。
【００４３】
また、照明装置の内部には、照度センサ８１が取付けてあり、照度センサ８１は、照明装置の周囲の照度を測定する。照明装置は、測定された周囲の照度に応じて、明るさ又は点灯／消灯を制御するように構成してある。なお、照度センサ８１は、例えば、フォトトランジスタ、フォトダイオード等を備えるそれ自体公知の照度センサである。
【００４４】
さらに、照明装置の内部には、プラズマクラスタ８２が取付けてある。プラズマクラスタ８２は、プラスとマイナスの同量のイオン（プラズマクラスタイオン）を放出するそれ自体公知のイオン空気清浄器である。その他の構成は、図２に示す実施の形態１と同様であるため、対応する構成部材に図２と同一の参照符号を付して、その構成及び動作の詳細な説明を省略する。
【００４５】
以上のように構成された照明装置は、拡散板７の側が下になるように天井に取付けられ、電源回路部品８を介して商用電源に接続される。電源の投入に伴い電源回路にて整流された直流電流が、ＬＥＤ５，５…に供給され、ＬＥＤ５，５…が点灯する。
【００４６】
以上のように、ＬＥＤ５，５…を同一のピッチＰにて装着した同一形状のＬＥＤモジュール６，６…を用いているから、ＬＥＤモジュール６，６…を複数組み合わせてＬＥＤ５，５…により形成される発光面の形状を自在に形作ることができる。また、ＬＥＤ５，５…を同一のピッチＰにて装着してなる同一形状のＬＥＤモジュール６，６…を、全ＬＥＤモジュール６，６…に亘ってＬＥＤ５，５…のピッチＰが同一になるように、所定の間隔を隔てて配置しているから、ＬＥＤ５，５…の上面と拡散板７との距離ＬをＬ≧Ｐを満足するように適切に設定することにより、ＬＥＤ５，５…の発する光を互いに重ね合わせ、一様な発光面を容易に形成することができ、均一な光を得ることができる。さらに、薄型化及び出射光の均一化等を考慮した照明装置の最適設計を行うことが容易となる。
【００４７】
（実施の形態３）
図７は、本発明の実施の形態３に係る照明装置を示す斜視図であり、図８は、実施の形態３に係る照明装置の分解斜視図である。
【００４８】
図において２２は、金属製のフレームであり、フレーム２２は、細長い矩形状の底板２２ａと、該底板２２ａの端縁から略直交して延びる複数の立ち上がり部２２ｂ，２２ｂ，２２ｃ,２２ｄ，２２ｄとを備えている。底板２２ａには、立ち上がり部２２ｂ，２２ｂ，２２ｃ,２２ｄ，２２ｄと逆方向の側に突出する細長い矩形状の凹部２２ｅが底板２２ａの長辺に平行をなすように形成してある。底板２２ａには、図８に示すように、ねじ穴２２ｆ，２２ｆ…が設けてある。
【００４９】
フレーム２２の底板２２ａには、アルミニウム製の放熱板２３が取付けてある。放熱板２３は、フレーム２２の底板２２ａより若干小さい矩形状の平板であり、放熱板２３には、フレーム２２の底板２２ａに設けられたねじ穴２２ｆ，２２ｆ…に対応する位置に貫通孔２３ｂ，２３ｂ…が夫々設けてある。
【００５０】
放熱板２３には、図に示すように、ＬＥＤ基板４，４…にＬＥＤ５，５…が実装されてなる矩形状の複数（図において８つ）のＬＥＤモジュール６，６…が、放熱板２３の長辺に沿うように配してある。ＬＥＤ基板４，４…，ＬＥＤ５，５…及びＬＥＤモジュール６，６…については、実施の形態１と同様であるので、詳細な説明は省略する。これらＬＥＤモジュール６，６…は、実施の形態１にて述べた如く、互いに所定の間隔を隔てて配置してある。これにより、ＬＥＤ５，５…は、８枚全部のＬＥＤモジュール６，６…に亘って、同一のピッチＰにて配置されることになる。
【００５１】
このようなＬＥＤモジュール６，６…は、ＬＥＤ基板４，４…の４隅に設けられた貫通孔４ａ，４ａ…、放熱板２３に設けられた貫通孔２３ｂ，２３ｂ…に、ねじ４５，４５…を挿通させて、ねじ４５，４５…をフレーム２２の底板２２ａに設けられたねじ穴２２ｆ，２２ｆ…に螺合させることにより、放熱板２３を介してフレーム２２に取付けてある。
【００５２】
フレーム２２の一端側には、電源回路部品２８が取付けてある。電源回路部品２８は、交流電流を直流電流に整流する全波整流部とＬＥＤ５，５…の順電流を一定にする定電流部とを備えている。電源回路部品２８には、人感センサ８３が取付けてある。人感センサ８３は、赤外線を受光して信号を出力する赤外線センサであり、熱起電力効果を利用したサーモパイル、焦電効果を利用した焦電体等、公知の赤外線センサを用いることができる。照明装置は、人感センサ８３により検出された人の存／否に応じて明／暗に点灯するように構成してある。
【００５３】
さらに、フレーム２２には、ＬＥＤモジュール６，６…を覆うように、図８に示す如く、扁平なＵ字形の断面形状を有する拡散板２７が設けてある。拡散板２７は、矩形の平板２７ａと、該平板２７ａの短手方向の両端から直交する方向に延びる矩形の２側壁２７ｂ，２７ｂとを備えている。拡散板２７は、２側壁２７ｂ，２７ｂ間に、フレーム２２の立ち上がり部２２ｂ，２２ｂを嵌め込むことにより、フレーム２２に取付けてある。
【００５４】
拡散板２７が取付けられたフレーム２２の長手方向の両端部には、押さえ部２９ａ，２９ｂが夫々両側から差し込まれ、フレーム２２に固定してある。
【００５５】
以上のように構成された照明装置は、例えば、直管型の蛍光灯の代替として、拡散板２７の側が下になるように天井に取付けられ、商用電源に接続される。電源の投入に伴い電源回路にて整流された直流電流が、ＬＥＤ５，５…に供給され、ＬＥＤ５，５…が点灯する。
【００５６】
以上のように、ＬＥＤ５，５…を同一のピッチＰにて装着した同一形状のＬＥＤモジュール６，６…を用いているから、ＬＥＤモジュール６，６…を複数組み合わせてＬＥＤ５，５…により形成される発光面の形状を自在に形作ることができる。また、ＬＥＤ５，５…を同一のピッチＰにて装着してなる同一形状のＬＥＤモジュール６，６…を、全ＬＥＤモジュール６，６…に亘ってＬＥＤ５，５…のピッチＰが同一になるように、所定の間隔を隔てて配置しているから、ＬＥＤ５，５…の上面と拡散板７との距離ＬをＬ≧Ｐを満足するように適切に設定することにより、ＬＥＤ５，５…の発する光を互いに重ね合わせ、一様な発光面を容易に形成することができ、均一な光を得ることができる。さらに、薄型化及び出射光の均一化等を考慮した照明装置の最適設計を行うことが容易となる。
【００５７】
なお、以上の第１乃至第３の実施の形態において、ＬＥＤモジュール６，６…のＬＥＤ基板４，４…の形状を長辺と短辺の長さの比が略２対１となる矩形状としているが、これに限定されないのは言うまでもない。例えば、長辺と短辺の長さの比が略２対１と異なる矩形状としてもよいし、正方形状でもよいし、四角形状以外の多角形状でもよい。さらに、以上の第１乃至第３の実施の形態において、同一形状のＬＥＤモジュール６，６…を複数組み合わせることにより発光面を形成するように構成してあるが、これに限定されず、形状の異なる複数種類のＬＥＤモジュールを組み合わせることにより発光面を形成するように構成してもよい。
【００５８】
さらに、本発明は、その他、特許請求の範囲に記載した事項の範囲内において種々変更した形態にて実施することが可能であることは言うまでもない。
【図面の簡単な説明】
【００５９】
【図１】本発明の実施の形態１に係る照明装置を示す斜視図である。
【図２】実施の形態１に係る照明装置の分解斜視図である。
【図３】ＬＥＤモジュールの概略図である。
【図４】ＬＥＤモジュールの配置図である。
【図５】図１の V−V 線による部分断面図である。
【図６】本発明の実施の形態２に係る照明装置の分解斜視図である。
【図７】本発明の実施の形態３に係る照明装置を示す斜視図である。
【図８】実施の形態３に係る照明装置の分解斜視図である。
【符号の説明】
【００６０】
１          外形フレーム
２，２２    フレーム
３，２３    放熱板
４          ＬＥＤ基板（基板）
５          ＬＥＤ
６          ＬＥＤモジュール
７，２７    拡散板
【図１】
2009016093.tif 000003
【図２】
2009016093.tif 000004
【図３】
2009016093.tif 000005
【図４】
2009016093.tif 000006
【図５】
2009016093.tif 000007
【図６】
2009016093.tif 000008
【図７】
2009016093.tif 000009
【図８】
2009016093.tif 000010